(57)【要約】【課題】  通信線の終端抵抗の接続／非接続を自動的に設定するリモートＩ／Ｏモジュール装置を提供する。【解決手段】  終端抵抗と、この終端抵抗の一端に接続されたスイッチと、前記終端抵抗の他端とスイッチの他端が接続された通信制御手段と、前記終端抵抗の他端とスイッチの他端に接続された通信コネクタを有するリモートＩ／Ｏモジュール通信装置において、前記通信コネクタの接続状態を検知する終端抵抗設定装置を設け、この終端抵抗設定装置の検知結果に基づいて前記スイッチのオンオフを制御するようにした。【選択図】                    図１
2006174352.tif 000002
【特許請求の範囲】
【請求項１】
終端抵抗と、この終端抵抗の一端に接続されたスイッチと、前記終端抵抗の他端とスイッチの他端が接続された通信制御手段と、前記終端抵抗の他端とスイッチの他端に接続された通信コネクタを有するリモートＩ／Ｏモジュール通信装置において、前記通信コネクタの接続状態を検知する終端抵抗設定装置を設け、この終端抵抗設定装置の検知結果に基づいて前記スイッチのオンオフを制御するようにしたことを特徴とするリモートＩ／Ｏモジュール通信装置。
【請求項２】
前記通信コネクタは入力部と出力部を一組として構成されており、前記終端抵抗設定装置は前記出力部に次段への接続がない場合に前記スイッチをオンとするようにしたことを特徴とする請求項１記載のリモートＩ／Ｏモジュール通信装置。
【発明の詳細な説明】
【技術分野】
【０００１】
本発明は、リモートＩ／Ｏモジュール通信装置に関し、詳しくはリモートＩ／Ｏシステムにおける通信線の終端抵抗の接続／非接続を自動的に設定する装置に関するものである。
【背景技術】
【０００２】
リモートＩ／Ｏモジュール通信装置に関する先行技術としては下記のようなものが知られている。
【０００３】
【特許文献１】特開２００２−５９６２５号公報
【特許文献２】特開２００４−２２１９０４号公報
【０００４】
上記特許文献１は通信ラインに異常が発生した場合に、異常となったノードによるバスの占有を防止し、他ノードからの通信を行えるようにしたもので、その構成は、通信線と、この通信線を共有して接続される複数のノードと、各ノードの通信状態を通信線を介してデータの送受信が可能な第１状態と、データの送受信が不能な第２状態との間で遷移させる移動状態決定手段とを備えたコントロールエリアネットワークにおいて、通信状態決定手段は第1状態から第２状態への遷移が所定回数繰り返された場合、遷移が繰り返されたノードからの送信を停止させるようにしたものである。
【０００５】
また、上記特許文献２は通信が断絶した場合でも断線箇所までは通信可能にすることができるフィールドバスシステムの通信速度制御方法に関するもので、ＰＬＣを構成するマスタユニットとスレーブがバス型のフィールドバスに接続されるとともに、そのフィールドバスの終端には終端抵抗が接続されて通信線システムが構成されており、正常時は終端抵抗が必要な高速の通信速度でマスタユニットとスレーブが通信を行い、通信線が断線した際にマスタユニットは、終端抵抗が不在な状態でも通信可能な低速の通信速度に切り替えてスレーブと通信を行うようにしたものである。
【０００６】
図３は従来用いられているリモートＩ／Ｏモジュール通信装置１のブロック構成を示すものである。２は通信ドライバ／コントローラで、この通信ドライバ／コントローラ２には終端抵抗３の一端が接続され、この終端抵抗３の他端にはスイッチ４の一端が接続されており、このスイッチの他端は通信ドライバ／コントローラ２に接続されている。
【０００７】
５，６は、リモートＩ／Ｏモジュール通信装置の通信線を接続するコネクタであり、これらの通信コネクタには終端抵抗３の一端とスイッチ４の他端がそれぞれ接続されている。
図４はこのようなリモートＩ／Ｏモジュール通信装置１を複数段(ａ〜ｄ)接続し、リモートＩ／Ｏシステムを構成した場合の従来例を示すブロック構成図である。
【０００８】
図において、８は例えばＰＬＣ(プログラマブルコントローラ)である。リモートＩ／Ｏシステムを構築する場合、複数（図ではａ〜ｄ）のリモートＩ／Ｏモジュール通信装置１を用いて構成され、これらはそれぞれ通信線９により接続される。
【発明の開示】
【発明が解決しようとする課題】
【０００９】
ところで、このような構成においては、通信線９の終端局に当たるリモートＩ／Ｏモジュール通信装置１は終端抵抗を接続する必要があるため、該当するリモートＩ／Ｏモジュール通信装置（ｄ）のスイッチ３を手動でＯＮに設定していた。
【００１０】
一方、通信線９の中間局に当たるリモートＩ／Ｏモジュール通信装置（ｂ，ｃ）は終端抵抗３を非接続にする必要があるため、該当するリモートＩ／Ｏモジュール通信装置のスイッチ３を手動でＯＦＦに設定する必要があった。
【００１１】
従って本発明が解決しようとする課題は、通信線の接続状態を検知する機能と、終端抵抗の接続／非接続を設定できる機能を備えることによって、リモートＩ／Ｏシステムの通信線の終端抵抗の接続／非接続を自動的に設定することを目的とする。
【課題を解決するための手段】
【００１２】
このような課題を達成するために、本発明のうち請求項１記載のリモートＩ／Ｏモジュール通信装置の発明は、
終端抵抗と、この終端抵抗の一端に接続されたスイッチと、前記終端抵抗の他端とスイッチの他端が接続された通信制御手段と、前記終端抵抗の他端とスイッチの他端に接続された通信コネクタを有するリモートＩ／Ｏモジュール通信装置において、
前記通信コネクタの接続状態を検知する終端抵抗設定装置を設け、この終端抵抗設定装置の検知結果に基づいて前記スイッチのオンオフを制御するようにしたことを特徴とする。
【００１３】
請求項２においては、請求項１記載のリモートＩ／Ｏモジュール通信装置において、
前記通信コネクタは入力部と出力部を一組として構成されており、前記終端抵抗設定装置は前記出力部に次段への接続がない場合に前記スイッチをオンとするようにしたことを特徴とする。
【発明の効果】
【００１４】
本発明によれば次のような効果がある。
請求項１，２に記載の発明によれば、通信線の接続状態を検知する機能を有する通信コネクタと、終端抵抗の接続／非接続を設定できる機能を有する終端抵抗設定装置とスイッチを装備することによって、リモートＩ／Ｏシステムの通信線の終端抵抗の接続／非接続を自動的に設定することができる。
【００１５】
その結果、リモートＩ／Ｏシステムを利用するユーザは、終端抵抗の接続／非接続の設定の煩わしさから解放される。また、誤設定に伴う通信トラブルからも解放される。
【発明を実施するための最良の形態】
【００１６】
図１は本発明のリモートＩ／Ｏモジュール通信装置の一実施例を示すブロック構成図である。図において、１ａはリモートＩ／Ｏモジュール通信装置、２はリモートＩ／Ｏモジュール通信装置における通信ドライバ／コントローラである。
【００１７】
３はリモートＩ／Ｏモジュール通信装置の通信線の終端抵抗、４はリモートＩ／Ｏモジュール通信装置の通信線の終端抵抗３の接続／非接続を設定するスイッチであり、電気的にＯＮ／ＯＦＦの制御を行うことができる機能を有している。
【００１８】
５，６は、リモートＩ／Ｏモジュール通信装置の通信線を接続する通信コネクタであり、コネクタの接続状態を検出できる機能を有している。
７は終端抵抗設定装置である。この終端抵抗設定装置７は通信コネクタ５，６及びスイッチ４に接続されており、通信コネクタ５，６の接続状態を読み出し、スイッチ４のＯＮ／ＯＦＦを行うことができる。
【００１９】
図２は本発明のリモートＩ／Ｏモジュール通信装置１ａを複数段(ａ〜ｄ)接続し、リモートＩ／Ｏシステムを構成した場合のブロック構成を示す図である。
【００２０】
図において、８は例えばＰＬＣで、複数(ａ〜ｄ)のリモートＩ／Ｏモジュール通信装置１ａの入出力端を有する通信コネクタ５，６がそれぞれ通信線９により接続されている。
通信線９の終端局にあたるリモートＩ／Ｏモジュール通信装置１ａ（ｄ）は通信コネクタ５，６のどちらか一方のみが接続される。終端抵抗設定装置７は通信コネクタ５，６の状態を読み出し、スイッチ４をＯＮとすることによって、通信線の終端抵抗３を接続することができる。
【００２１】
通信線９の中間局にあたるリモートＩ／Ｏモジュール通信装置１ａ（ｂ，ｃ）は通信コネクタ５，６の両方が接続される。終端抵抗設定装置７は通信コネクタ５，６の状態を読み出し、スイッチ４をＯＦＦとすることによって、通信線の終端抵抗を非接続にすることができる。
【００２２】
なお、以上の説明は、本発明の説明および例示を目的として特定の好適な実施例を示したに過ぎない。たとえばリモートＩ／Ｏモジュールの入出力端は逆であってもよく、接続個数も実施例に限るものではない。また、実施例では信号の送信元をＰＬＣとしたが他の装置であってもよい。従って本発明は上記実施例に限定されることなく、その本質から逸脱しない範囲で更に多くの変更、変形を含むものである。
【図面の簡単な説明】
【００２３】
【図１】本発明のリモートＩ／Ｏモジュール装置の一実施例を示すブロック構成図である。
【図２】本発明のリモートＩ／Ｏモジュール通信装置を複数段接続した場合の構成を示す図である。
【図３】従来のリモートＩ／Ｏモジュール通信装置を示すブロック構成図である。
【図４】従来のリモートＩ／Ｏモジュール通信装置を複数段接続した場合の構成を示す図である。
【符号の説明】
【００２４】
１，１ａ    リモートＩ／Ｏモジュール装置
２          通信ドライバ／コントローラ
３          終端抵抗
４          スイッチ
５，６      通信コネクタ
７          終端抵抗設定装置
８          ＰＬＣ（プログラマブルコントローラ）
９          通信線
【図１】
2006174352.tif 000003
【図２】
2006174352.tif 000004
【図３】
2006174352.tif 000005
【図４】
2006174352.tif 000006